(57)【要約】【課題】着用時に足繰りに沿って変形しやすく、着用者の股間部に対して柔軟にフィットし得る吸収性物品を提供すること。【解決手段】吸収体４の肌対向面又は非肌対向面に形成された平面視線状の凹部列４５は、排泄ポイント域縦中心線ＰＬよりも縦方向前側に位置する前側凹部列５と、後側に位置する後側凹部列６とを有する。前側凹部列５は、中心線ＰＬの近傍から吸収体４の縦方向前端４ｆ側且つ横方向Ｙの外方に向かって延びる、一対の前側斜行凹部列５１，５１を有し、該凹部列５１，５１どうしは直接繋がっておらず横方向Ｙに所定の間隔を置いて配され、その間隔は、中心線ＰＬ側の端部間において最小である。後側凹部列６も前側凹部列５と同様に構成され、一対の後側斜行凹部列６１，６１を有する。前側斜行凹部列５１の横方向Ｙに対する傾斜角度αは、後側斜行凹部列６１の横方向Ｙに対する傾斜角度βに比して小さい。【選択図】図３
2015104645.tif 000002
【特許請求の範囲】
【請求項１】
肌対向面を形成する表面シート、非肌対向面を形成する裏面シート及びこれら両シート間に位置する吸収体を具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収体の肌対向面又は非肌対向面に、該吸収体を厚み方向に圧縮することにより形成された複数の凹部が平面視線状に配列されてなる、凹部列が形成されており、該凹部列は、該吸収体の排泄ポイント域を縦方向に二分する排泄ポイント域縦中心線よりも該吸収体の前記腹側部側の縦方向前端側に位置する、前側凹部列と、該排泄ポイント域縦中心線よりも該吸収体の前記背側部側の縦方向後端側に位置する、後側凹部列とを有し、
前記前側凹部列は、複数の前記凹部が前記排泄ポイント域縦中心線の近傍から前記吸収体の縦方向前端側且つ横方向外方に向かって延びる平面視線状に配列されてなる、一対の前側斜行凹部列を有し、一対の該前側斜行凹部列の一方と他方とは直接繋がっておらず横方向に所定の間隔を置いて配され、その間隔は、該排泄ポイント域縦中心線側の端部間において最小であり、
前記後側凹部列は、複数の前記凹部が前記排泄ポイント域縦中心線の近傍から前記吸収体の縦方向後端側且つ横方向外方に向かって延びる平面視線状に配列されてなる、一対の後側斜行凹部列を有し、一対の該後側斜行凹部列の一方と他方とは直接繋がっておらず横方向に所定の間隔を置いて配され、その間隔は、該排泄ポイント域縦中心線側の端部間において最小であり、
前記前側斜行凹部列の横方向に対する傾斜角度は、前記後側斜行凹部列の横方向に対する傾斜角度に比して小さい吸収性物品。
【請求項２】
前記前側凹部列は、複数の前記凹部が前記排泄ポイント域縦中心線の近傍にて横方向に延びる平面視線状に配列されてなる、前側横方向凹部列を有し、該前側横方向凹部列と一対の前記前側斜行凹部列とが繋がっており、
前記後側凹部列は、複数の前記凹部が前記排泄ポイント域縦中心線の近傍にて横方向に延びる平面視線状に配列されてなる、後側横方向凹部列を有し、該後側横方向凹部列と一対の前記後側斜行凹部列とが繋がっている請求項１記載の吸収性物品。
【請求項３】
前記凹部列は、複数の前記凹部が前記排泄ポイント域縦中心線に一致して配列されてなる、排泄ポイント域縦中心凹部列を有し、該排泄ポイント域縦中心凹部列と一対の前記前側斜行凹部列及び一対の前記後側斜行凹部列とが繋がっている請求項１記載の吸収性物品。
【請求項４】
前記前側斜行凹部列の縦方向長さは、前記後側斜行凹部列の縦方向長さに比して短い請求項１〜３の何れか一項に記載の吸収性物品。
【請求項５】
一対の前記前側斜行凹部列の一方と他方との前記排泄ポイント域縦中心線側の端部での間隔は、一対の前記後側斜行凹部列の一方と他方との該排泄ポイント域縦中心線側の端部での間隔に比して短い請求項１〜４の何れか一項に記載の吸収性物品。
【請求項６】
前記前側凹部列は前記前側斜行凹部列を二対以上有しているか、又は前記後側凹部列は前記後側斜行凹部列を二対以上有している請求項１〜５の何れか一項に記載の吸収性物品。
【請求項７】
一対の前記前側斜行凹部列及び一対の前記後側斜行凹部列は、それぞれ、前記吸収体を横方向に二分する吸収体横中心線を挟んで左右対称に形成されている請求項１〜６の何れか一項に記載の吸収性物品。
【請求項８】
前記凹部列を構成する複数の凹部は、それぞれ、平面視において一方向に長い形状を有し且つ該凹部の長手方向と該凹部列の延びる方向とが交差するように配され、且つ
複数の前記凹部は、それぞれ、該凹部をその幅方向に二分する凹部幅中心線の延長線が前記排泄ポイント域縦中心線の横方向中央部と交わるように配され、且つ複数の前記凹部は、前記吸収体を横方向に二分する吸収体横中心線を挟んで左右対称に形成されている請求項１〜７の何れか一項に記載の吸収性物品。
【発明の詳細な説明】
【技術分野】
【０００１】
本発明は、使い捨ておむつ等の吸収性物品に関する。
【背景技術】
【０００２】
吸収性物品として、肌対向面を形成する表面シート、非肌対向面を形成する裏面シート及びこれら両シート間に位置する吸収体を具備し、着用者の腹側に配される腹側部及び背側に配される背側部とそれらの間に位置する股下部とを有すると共に、該腹側部から該股下部を介して該背側部に延びる縦方向とこれに直交する横方向とを有するものが知られている。また、尿等の体液の誘導・拡散あるいは剛性の向上等の目的で、吸収体あるいは表面シート及び吸収体の両方に対し、それらの肌対向面側からエンボス加工を施して凹部を形成する技術が知られている。
【０００３】
例えば特許文献１には、吸収体の肌対向面（表面シートとの対向面）側に、表面シートの肌対向面側からエンボス加工を施してエンボス凹部を形成することが記載されている。特許文献１記載のエンボス凹部は、股下部の両側に、縦方向に沿って延在すると共に縦方向中央部が横方向中央側に膨出する弧状部分を有している。この弧状部分の頂部（エンボス凹部の縦方向中央部）は、吸収性物品の縦方向中央部に略一致し、排泄ポイント域（着用者の排泄部と対向する設計上の領域）とは一致していない。特許文献１記載の吸収性物品によれば、斯かるエンボス凹部の作用により、吸収性物品の横方向中央の肌対向面を両脇よりも隆起させ、着用者の股間や臀裂に対するフィット性を高めることができるとされている。
【０００４】
また特許文献２には、吸収体を圧縮して該吸収体に平面視線状の折曲部を設けることが記載されている。この折曲部は、吸収体を縦方向に二分する縦中心線と一致する部分（第３折曲部）と、該吸収体を横方向に二分する横中心線と該縦中心線とが交わる該吸収体の中央部から縦方向前側及び後側それぞれに向かって延びる、平面視略Ｖ字状の２つの部分（第１折曲部及び第２折曲部）とを有している。
【０００５】
また特許文献３には、吸収体に、互いに離間対向して縦方向へ連続的に延びる条溝を形成することが記載されている。この条溝は、吸収体を厚み方向へ圧縮することにより形成されたもので、股下部に位置する該吸収体の縦方向中央部にて縦方向へ所与寸法分断され、該条溝の縦方向両端部が該吸収体の縦方向に沿う両側縁近傍に位置している。特許文献３記載の条溝における縦方向の分断位置は、吸収性物品の縦方向中央部に略一致し、排泄ポイント域とは一致していない。特許文献３記載の吸収性物品によれば、斯かる条溝の作用により、吸収体の形態保持性に優れ、排泄物を該条溝において吸収体の縦方向へ素早く拡散させることができ、吸収体の排泄物吸収速度を向上させることができるとされている。
【先行技術文献】
【特許文献】
【０００６】
【特許文献１】特開２０１２−２０１９５号公報
【特許文献２】特開２００４−１４１６３４号公報
【特許文献３】特開２００１−３４０３８３号公報
【発明の概要】
【発明が解決しようとする課題】
【０００７】
吸収性物品の股下部における吸収体に、エンボス加工により平面視線状の凹部の凹部を形成することにより、該吸収性物品の着用時において該吸収体が該凹部で屈曲しやすくなり、該吸収性物品のフィット性が向上する。斯かる技術は、特許文献１〜３記載の吸収性物品に利用されており、これにより、特許文献１〜３記載の吸収性物品は従来品に比してフィット性が改善されているが、凹部の形成位置等に問題があり、まだ改善の余地がある。
【０００８】
従って、本発明は、着用時に足繰りに沿って変形しやすく、着用者の股間部に対して柔軟にフィットし得る吸収性物品に関する。
【課題を解決するための手段】
【０００９】
本発明は、肌対向面を形成する表面シート、非肌対向面を形成する裏面シート及びこれら両シート間に位置する吸収体を具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、前記吸収体の肌対向面又は非肌対向面に、該吸収体を厚み方向に圧縮することにより形成された複数の凹部が平面視線状に配列されてなる、凹部列が形成されており、該凹部列は、該吸収体の排泄ポイント域を縦方向に二分する排泄ポイント域縦中心線よりも該吸収体の前記腹側部側の縦方向前端側に位置する、前側凹部列と、該排泄ポイント域縦中心線よりも該吸収体の前記背側部側の縦方向後端側に位置する、後側凹部列とを有し、前記前側凹部列は、複数の前記凹部が前記排泄ポイント域縦中心線の近傍から前記吸収体の縦方向前端側且つ横方向外方に向かって延びる平面視線状に配列されてなる、一対の前側斜行凹部列を有し、一対の該前側斜行凹部列の一方と他方とは直接繋がっておらず横方向に所定の間隔を置いて配され、その間隔は、該排泄ポイント域縦中心線側の端部間において最小であり、前記後側凹部列は、複数の前記凹部が前記排泄ポイント域縦中心線の近傍から前記吸収体の縦方向後端側且つ横方向外方に向かって延びる平面視線状に配列されてなる、一対の後側斜行凹部列を有し、一対の該後側斜行凹部列の一方と他方とは直接繋がっておらず横方向に所定の間隔を置いて配され、その間隔は、該排泄ポイント域縦中心線側の端部間において最小であり、前記前側斜行凹部列の横方向に対する傾斜角度は、前記後側斜行凹部列の横方向に対する傾斜角度に比して小さい吸収性物品を提供するものである。
【発明の効果】
【００１０】
本発明によれば、着用時に足繰りに沿って変形しやすく、着用者の股間部に対して柔軟にフィットし得る吸収性物品が提供される。
【図面の簡単な説明】
【００１１】
【図１】図１は、本発明の吸収性物品の一実施形態としての使い捨ておむつを各部の弾性部材を伸張させて平面状に拡げた展開状態を模式的に示す表面シート側（肌対向面側）の一部破断平面図である。
【図２】図２は、図１のＩ−Ｉ線（物品縦中心線）断面の模式的な断面図である。
【図３】図３は、図１に示すおむつにおける吸収体の肌対向面側を模式的に示す平面図である。
【図４】図４は、本発明に係る吸収体の他の実施形態の肌対向面の模式的な平面図（図３相当図）である。
【図５】図５は、本発明に係る吸収体の更に他の実施形態の肌対向面の模式的な平面図（図３相当図）である。
【図６】図６は、本発明に係る吸収体の更に他の実施形態の肌対向面の模式的な平面図（図３相当図）である。
【図７】図７は、本発明に係る吸収体の更に他の実施形態の肌対向面の模式的な平面図（図３相当図）である。
【図８】図８は、本発明に係る吸収体の更に他の実施形態の肌対向面の模式的な平面図（図３相当図）である。
【図９】図９は、本発明に係る吸収体の更に他の実施形態の肌対向面の模式的な平面図（図３相当図）である。
【図１０】図１０（ａ）は、本発明に係る吸収体の更に他の実施形態の肌対向面の模式的な平面図（図３相当図）、図１０（ｂ）は、図１０（ａ）に示す凹部列の模式的な拡大平面図である。
【図１１】図１１は、比較例３で用いた吸収体（本発明の範囲外の吸収体）の肌対向面の模式的な平面図（図３相当図）である。
【発明を実施するための形態】
【００１２】
以下、本発明の吸収性物品について、その好ましい一実施形態である使い捨ておむつに基づき図面を参照しながら説明する。本実施形態のおむつ１は、いわゆる展開型の使い捨ておむつであり、図１及び図２に示すように、肌対向面を形成する液透過性の表面シート２、非肌対向面を形成する液不透過性若しくは液難透過性又は撥水性の裏面シート３、及び両シート２，３間に配置された液保持性の吸収体４を具備している。肌対向面は、おむつ１及びその構成部材（例えば吸収体４）における、着用状態において着用者の肌側に向けられる面（相対的に着用者の肌に近い側）であり、非肌対向面は、おむつ１及びその構成部材における、着用状態において着用者の肌側とは反対側に向けられる面（相対的に着用者の肌から遠い側）である。
【００１３】
おむつ１は、図１に示すように、着用状態において着用者の腹側に配される腹側部Ｆ、背側に配される背側部Ｒ、及びそれらの間に位置して着用者股間部に配される股下部Ｍを有していると共に、縦方向Ｘとこれに直交する横方向Ｙとを有している。おむつ１の縦方向Ｘは、腹側部Ｆと背側部Ｒとの間を股下部Ｍを介して延びる方向である。腹側部Ｆ、股下部Ｍ及び背側部Ｒは、おむつ１を縦方向Ｘに３等分した場合の各領域に相当する。おむつ１は、股下部Ｍの縦方向Ｘに沿う両側縁が内向きの円弧状に湾曲しており、図１に示す如き平面視において、縦方向Ｘの中央部が内方に括れた砂時計状を有している。
【００１４】
おむつ１は、図１に示すように、排泄ポイント域Ｐを有している。排泄ポイント域Ｐは、おむつ１の着用時に着用者の排泄部（排尿部）に対向配置される設計上の領域であり、おむつ１を縦方向Ｘに二分する仮想的な物品縦中心線１Ｌｘよりも腹側部Ｆ側に偏倚した位置にある。排泄ポイント域Ｐは、おむつ１の縦方向前端１ｆからおむつ１の縦方向Ｘの全長の３５％に相当する距離離間した位置（図１中符号Ｐ１で示す位置）と、縦方向前端１ｆからおむつ１の縦方向Ｘの全長の４５％に相当する距離離間した位置（図１中符号Ｐ２で示す位置）とに挟まれた領域である。本実施形態においては、排泄ポイント域Ｐは、前方部Ｆと股下部Ｍとに跨って存している。
【００１５】
表面シート２及び裏面シート３は、それぞれ、吸収体４よりも大きな寸法を有し、吸収体４の周縁から外方に延出している。吸収体４は、おむつ１の縦方向Ｘと同方向に長い略矩形形状を有し、その長手方向を、展開且つ伸長状態におけるおむつ１の縦方向Ｘに一致させて、両シート２，３間の中央部に接着剤により接合されている。表面シート２及び裏面シート３としては、当該技術分野において従来公知のものを特に制限なく用いることができる。例えば、表面シート２としては各種の不織布や開孔フィルム等を用いることができ、裏面シート３としては樹脂フィルムや、樹脂フィルムと不織布等とのラミネート等を用いることができる。
【００１６】
吸収体４は、液保持性の吸収性コア４０と、該吸収性コア４０の肌対向面及び非肌対向面を被覆する透水性のコアラップシート４１とを含んで構成されている。吸収性コア４０は、図１に示すように、排泄ポイント域Ｐの縦方向Ｘに沿う両側縁が内向きの円弧状に湾曲している。コアラップシート４１は、吸収性コア４０の横方向Ｙの長さの２倍以上３倍以下の幅を有する１枚の連続したシートである。吸収性コア４０の肌対向面（表面シート２との対向面）の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。吸収性コア４０とコアラップシート４１との間は、ホットメルト型接着剤等の公知の接合手段により接合されていても良い。吸収性コア４０としては、例えば、木材パルプ、親水化剤により処理された合繊繊維等の親水性繊維からなる繊維集合体、又は該繊維集合体に粒子状の吸水性ポリマーを保持させたもの等を用いることができる。コアラップシート４１としては、紙、親水化処理が施された繊維からなる親水性不織布等を用いることができる。
【００１７】
着用者の脚周りに配される左右のレッグ部における表面シート２と裏面シート３との間には、糸状の弾性部材３１が縦方向Ｘに沿って伸長状態で固定されており、これにより、おむつ１の着用時におけるレッグ部には、弾性部材３１の収縮により一対のレッグギャザーが形成される。また、おむつ１の表面シート２側における縦方向Ｘに沿う左右両側には、それぞれサイドシート３３が配されている。サイドシート３３の内側縁部には、糸状の弾性部材３２が縦方向Ｘに沿って伸長状態で固定されており、これにより、おむつ１の着用時には弾性部材３２の収縮により少なくとも股下部Ｍに立体ギャザーが形成される。表面シート２、裏面シート３、吸収体４、各弾性部材３１，３２及びサイドシート３３は、ホットメルト型接着剤等の公知の接合手段により互いに接合されている。
【００１８】
図１に示すように、おむつ１の背側部Ｒの縦方向Ｘに沿う両側縁部には、一対のファスニングテープ３５，３５が設けられている。ファスニングテープ３５には、機械的面ファスナーのオス部材からなる図示しない止着部が取り付けられている。また、おむつ１の腹側部Ｆの非肌対向面（裏面シート３の非肌対向面）には、機械的面ファスナーのメス部材からなる被止着領域３６が形成されている。被止着領域３６は、裏面シート３の非肌対向面に、機械的面ファスナーのメス部材を公知の接合手段（例えば、接着剤やヒートシール等）で接合固定して形成されており、ファスニングテープ３５の前記止着部を着脱自在に止着可能になされている。
【００１９】
本実施形態のおむつ１の主たる特徴の１つとして、図１に示すように、吸収体４の肌対向面又は非肌対向面に、該吸収体４を厚み方向に圧縮することにより形成された複数の凹部が平面視線状に配列されてなる、凹部列４５が形成されている点が挙げられる。ここで、「線状」とは、凹部列の形状が平面視において直線に限られず、曲線を含み、各線は、連続線でも破線でも良い。ここでいう「連続線」は、複数の凹部が間隔を置かずに連なって配置されて、全体として溝状に形成されたものであり、「破線」は、複数の凹部が間欠的に配置されて、全体として平面視破線状に形成されたものである。吸収体４の柔軟な変形の点から、凹部列４５は平面視において破線が好ましい。破線の凹部列は、図１０に示す凹部列４５ｓの如き比較的小さいエンボス凹部が、該凹部の延びる方向に複数連なって形成される。凹部列４５は、吸収体４の排泄ポイント域Ｐを縦方向Ｘに二分する排泄ポイント域縦中心線ＰＬよりも吸収体４の腹側部Ｆ側の縦方向前端４ｆ側に位置する、前側凹部列５と、排泄ポイント域縦中心線ＰＬよりも吸収体４の背側部Ｒ側の縦方向後端４ｒ側に位置する、後側凹部列６とを有している。
【００２０】
凹部列４５（前側凹部列５、後側凹部列６）は、吸収体４（吸収性コア４０及びコアラップシート４１）のみに形成されており、表面シート２及び裏面シート３には形成されていない。凹部列４５（凹部列４５を構成する凹部）は、熱を伴うか又は伴わないエンボス、あるいは超音波エンボス等のエンボス加工により常法に従って形成することができる。凹部列４５が熱を伴うエンボス加工により形成された場合、該凹部列４５においては、コアラップシート４１及び吸収性コア４０が熱融着等により一体化する。
【００２１】
本実施形態における凹部列４５は、図１に示すように、複数のエンボス凹部が間欠的に配列されて平面視線状（破線状）に形成されているところ、該凹部列４５を構成する凹部の数は、好ましくは３個以上、更に好ましくは５個以上、そして、好ましくは３０個以下、更に好ましくは１０個以下、より具体的には、好ましくは３個以上３０個以下、更に好ましくは５個以上１０個以下である。
【００２２】
平面視破線状の凹部列４５における隣り合う凹部間は、エンボス加工が施されていない非エンボスの平坦部か、又は、該凹部（深凹陥部）よりも深さ（凹陥深さ）の浅い凹部（浅凹陥部）からなる。後者の場合における凹部列４５の具体例として、吸収体における凹陥していない表面（肌対向面又は非肌対向面）からの凹陥深さが相対的に深い深凹陥部と、該凹陥深さが相対的に浅い浅凹陥部とが一方向に連なって形成されている形態が挙げられる。深凹陥部は、その形成時におけるエンボス加工において、浅凹陥部の形成時よりも高圧で圧搾された部分であり、浅凹陥部よりも高密度である。斯かる形態において、吸収体４の柔軟性や折り曲げ性の点から、浅凹陥部の凹陥深さは、深凹陥部の凹陥深さの２０％以下が好ましい。また、同様の観点から、平面視破線状の凹部列４５において、該凹部列４５の長さ方向（延びる方向）に隣り合う凹部間の間隔（平坦部又は浅凹陥部の長さ）Ｘ２は、該凹部列４５を構成する各凹部（深凹陥部）の該長さ方向の長さＸ１よりも短いことが好ましく、より具体的には、凹部長さＸ１に対する凹部間隔Ｘ２の割合〔＝（Ｘ２／Ｘ１）×１００〕が８０％以下、特に５０％以下が好ましい。
【００２３】
図３には吸収体４の肌対向面（表面シート２との対向面）が拡大して示されている。前側凹部列５は、複数の凹部（深凹陥部）が排泄ポイント域縦中心線ＰＬの近傍から吸収体４の縦方向前端４ｆ側且つ横方向Ｙの外方に向かって延びる平面視線状に配列されてなる、一対の前側斜行凹部列５１，５１を有している。一対の前側斜行凹部列５１，５１の一方と他方とは直接繋がっておらず横方向Ｙに所定の間隔Ｌ１を置いて配され、その間隔Ｌ１は、排泄ポイント域縦中心線ＰＬ側の端部間において最小となっている。本実施形態においては、一対の前側斜行凹部列５１，５１は、それぞれ、図３に示す如き平面視において直線状（破線状）であり、且つ吸収体４を横方向Ｙに二分する吸収体横中心線４Ｌｙを挟んで左右対称に形成されている。前側凹部列５における間隔Ｌ１は、縦方向Ｘの外方に向かうに従って（排泄ポイント域縦中心線ＰＬ側から吸収体４の縦方向前端４ｆに向かうに従って）漸次増加している。
【００２４】
また、後側凹部列６は、図３に示すように、複数の凹部（深凹陥部）が排泄ポイント域縦中心線ＰＬの近傍から吸収体４の縦方向後端４ｒ側且つ横方向Ｙの外方に向かって延びる平面視線状に配列されてなる、一対の後側斜行凹部列６１，６１を有している。一対の後側斜行凹部列６１，６１の一方と他方とは直接繋がっておらず横方向Ｙに所定の間隔Ｌ２を置いて配され、その間隔Ｌ２は、排泄ポイント域縦中心線ＰＬ側の端部間において最小となっている。本実施形態においては、一対の後側斜行凹部列６１，６１は、それぞれ、図３に示す如き平面視において直線状（破線状）であり、且つ吸収体横中心線４Ｌｙを挟んで左右対称に形成されている。後側凹部列６における間隔Ｌ２は、縦方向Ｘの外方に向かうに従って（排泄ポイント域縦中心線ＰＬ側から吸収体４の縦方向後端４ｒに向かうに従って）漸次増加している。
【００２５】
このように、吸収体４を厚み方向に圧縮することにより形成された複数のエンボス凹部からなる、凹部列４５が、排泄ポイント域縦中心線ＰＬを基準として、縦方向Ｘの前側に位置する前側凹部列５と縦方向Ｘの後側に位置する後側凹部列６とを有し、且つ前側凹部列５を構成する一対の前側斜行凹部列５１，５１の間隔Ｌ１及び後側凹部列６を構成する一対の後側斜行凹部列６１，６１の間隔Ｌ２が、それぞれ、排泄ポイント域縦中心線ＰＬに近い側が遠い側に比して短い部分を有していることにより、おむつ１の着用時において、吸収体４が着用者の動きに対応して足繰りに沿って変形しやすく、おむつ１が着用者の股間部に対して柔軟にフィットするようになる。
【００２６】
凹部列４５（前側凹部列５、後側凹部列６）が形成されるのは吸収体４の肌対向面でも非肌対向面でも良いが、凹部列４５が吸収体４の非肌対向面に形成されている、即ち、凹部列４５が吸収体４の非肌対向面側からのエンボス加工により形成されたものであると、おむつ１の着用時において、吸収体４が、該吸収体４を肌対向面側から見たときに該凹部列４５で谷折りとなるように屈曲変形しやすくなるので、おむつ１が着用者の股間部に対してより柔軟にフィットするようになる。
【００２７】
凹部列４５を構成する複数の凹部（深凹陥部）それぞれの幅（該凹部の、凹部列４５の長さ方向と直交する方向の長さ）は、好ましくは３０ｍｍ以上、更に好ましくは５０ｍｍ以上、そして、好ましくは１３０ｍｍ以下、更に好ましくは１００ｍｍ以下、より具体的には、好ましくは３０ｍｍ以上１３０ｍｍ以下、更に好ましくは５０ｍｍ以上１００ｍｍ以下である。
凹部列４５を構成する複数の凹部（深凹陥部）それぞれの深さは、吸収体４の無荷重下における厚みに対して、好ましくは１０％以上、更に好ましくは１５％以上、そして、好ましくは５０％以下、更に好ましくは４０％以下、より具体的には、好ましくは  １０％以上５０％以下、更に好ましくは１５％以上４０％以下である。
【００２８】
凹部列４５を構成する個々の凹部の幅及び深さは、肉眼で定規等を使って測定しても良いが、凹部の深さに関しては、次の方法により測定することが好ましい。即ち、吸収体における凹陥していない部分（非凹陥部）及び測定対象の凹部を全て含むように、且つ深さ方向の断面が観察できるように、鋭利なカッター等で該吸収体から試験片を切断し、サンプリングする。そして、その試験片について、光学顕微鏡ＶＨＸ−１０００（キーエンス社製）を用いて、吸収体における非凹陥部の厚みに対して、凹部深さを測定することにより、非凹陥部分に対する凹部の深さの割合を算出することができる。尚、凹部の幅及び深さは、任意の１０箇所についての測定値の平均値とする。
【００２９】
そして、本実施形態においては、前側斜行凹部列５１の横方向Ｙに対する傾斜角度α（図３参照）は、後側斜行凹部列６１の横方向Ｙに対する傾斜角度β（図３参照）に比して小さくなっている。通常、おむつ着用者は、腹側（前側）の方が背側（後側）に比して股間幅が狭く、足の動きが大きい（足の稼働範囲が広い）ところ、このように、前側斜行凹部列５１の傾斜角度α＜後側斜行凹部列６１の傾斜角度β、という関係が成立していることにより、前側の足繰りのフィット性（屈曲性）が向上し、結果として、おむつ１が着用者の股間部に対して柔軟にフィットするようになる。
【００３０】
前述した作用効果をより確実に奏させるようにする観点から、傾斜角度αと傾斜角度βとの差（β−α）は、好ましくは５°以上、更に好ましくは１０°以上、そして、好ましくは６０°以下、更に好ましくは５０°以下、より具体的には、好ましくは５°以上６０°以下、更に好ましくは１０°以上５０°以下である。
前側斜行凹部列５１の傾斜角度αは、好ましくは２０°以上、更に好ましくは３０°以上、そして、好ましくは８０°以下、更に好ましくは７０°以下、より具体的には、好ましくは２０°以上８０°以下、更に好ましくは３０°以上７０°以下である。
後側斜行凹部列６１の傾斜角度βは、好ましくは３０°以上、更に好ましくは４５°以上、そして、好ましくは８５°以下、更に好ましくは８０°以下、より具体的には、好ましくは３０°以上８５°以下、更に好ましくは４５°以上８０°以下である。
【００３１】
本実施形態においては、図３に示すように、前側凹部列５は、複数の凹部（深凹陥部）が排泄ポイント域Ｐ内において排泄ポイント域縦中心線ＰＬの近傍にて横方向Ｙに延びる平面視線状に配列されてなる、前側横方向凹部列５０を有し、該前側横方向凹部列５０と一対の前側斜行凹部列５１，５１とが繋がっている。前側横方向凹部列５０は平面視直線状（破線状）であり、その長さ方向を横方向Ｙに一致させて、吸収体４の横方向Ｙの中央部に配されている。前側横方向凹部列５０と一対の前側斜行凹部列５１，５１とは、それらの長さ方向の両端部で繋がっている。一対の前側斜行凹部列５１，５１どうしは、直接は繋がっていないが、前側横方向凹部列５０を介して間接的に繋がっている。
【００３２】
また、後側凹部列６は、複数の凹部（深凹陥部）が排泄ポイント域Ｐ内において排泄ポイント域縦中心線ＰＬの近傍にて横方向Ｙに延びる平面視線状に配列されてなる、後側横方向凹部列６０を有し、該後側横方向凹部列６０と一対の後側斜行凹部列６１，６１とが繋がっている。後側横方向凹部列６０は平面視直線状（破線状）であり、その長さ方向を横方向Ｙに一致させて、吸収体４の横方向Ｙの中央部に配されている。後側横方向凹部列６０と一対の後側斜行凹部列６１，６１とは、それらの長さ方向の両端部で繋がっている。一対の後側斜行凹部列６１，６１どうしは、直接は繋がっていないが、後側横方向凹部列６０を介して間接的に繋がっている。前側横方向凹部列５０と後側横方向凹部列６０とは、横方向Ｙにおいて同位置にある。
【００３３】
本実施形態においては、前側横方向凹部列５０と後側横方向凹部列６０とは横方向長さが同じである。前側横方向凹部列５０の横方向長さは、一対の前側斜行凹部列５１，５１の一方と他方との排泄ポイント域縦中心線ＰＬ側の端部での間隔Ｌ１に一致し、後側横方向凹部列６０の横方向長さは、一対の後側斜行凹部列６１，６１の一方と他方との排泄ポイント域縦中心線ＰＬ側の端部での間隔Ｌ２に一致するので、本実施形態においては、凹部列５１，５１の中心線ＰＬ側の端部での間隔Ｌ１と凹部列６１，６１の中心線ＰＬ側の端部での間隔Ｌ２とが同じである。前側横方向凹部列５０及び後側横方向凹部列６０それぞれの横方向長さ（前記間隔Ｌ１及び間隔Ｌ２）は、前述した作用効果をより確実に奏させるようにする観点から、好ましくは１０ｍｍ以上、更に好ましくは２０ｍｍ以上、そして、好ましくは６０ｍｍ以下、更に好ましくは５０ｍｍ以下、より具体的には、好ましくは１０ｍｍ以上６０ｍｍ以下、更に好ましくは２０ｍｍ以上５０ｍｍ以下である。
【００３４】
前側横方向凹部列５０は、前述したように排泄ポイント域縦中心線ＰＬの近傍に位置する線状凹部列であり、両者の間隔Ｔ１（図３参照）は、前述した作用効果をより確実に奏させるようにする観点から、好ましく３ｍｍ以上、更に好ましくは５ｍｍ以上、そして、好ましくは２０ｍｍ以下、更に好ましくは１５ｍｍ以下、より具体的には、好ましくは３ｍｍ以上２０ｍｍ以下、更に好ましくは５ｍｍ以上１５ｍｍ以下である。後側横方向凹部列６０と排泄ポイント域縦中心線ＰＬとの間隔Ｔ２（図３参照）も、間隔Ｔ１と同様の範囲に設定することができる。また、間隔Ｔ１と間隔Ｔ２とは同じでも良く、異なっていても良い。本実施形態においては、間隔Ｔ１と間隔Ｔ２とは同じである。
【００３５】
また、本実施形態においては、前側斜行凹部列５１の縦方向長さＨ１（図３参照）は、後側斜行凹部列６１の縦方向長さＨ２に比して短くなっている。このように、前側斜行凹部列５１の縦方向長さＨ１＜後側斜行凹部列６１の縦方向長さＨ２、という関係が成立していることにより、前側の足繰りのフィット性（屈曲性）が向上し、結果として、おむつ１が着用者の股間部に対して柔軟にフィットするようになる。
【００３６】
前述した作用効果をより確実に奏させるようにする観点から、縦方向長さＨ１と縦方向長さＨ２との差（Ｈ２−Ｈ１）は、好ましくは１０ｍｍ以上、更に好ましくは４０ｍｍ以上、そして、好ましくは８０ｍｍ以下、更に好ましくは６０ｍｍ以下、より具体的には、好ましくは３０ｍｍ以上８０ｍｍ以下、更に好ましくは４０ｍｍ以上６０ｍｍ以下である。
前側斜行凹部列５１の縦方向長さＨ１は、好ましくは２０ｍｍ以上、更に好ましくは４０ｍｍ以上、そして、好ましくは１００ｍｍ以下、更に好ましくは７０ｍｍ以下、より具体的には、好ましくは２０ｍｍ以上１００ｍｍ以下、更に好ましくは４０ｍｍ以上７０ｍｍ以下である。
後側斜行凹部列６１の縦方向長さＨ２は、好ましくは５０ｍｍ以上、更に好ましくは７０ｍｍ以上、そして、好ましくは１５０ｍｍ以下、更に好ましくは１２０ｍｍ以下、より具体的には、好ましくは５０ｍｍ以上１５０ｍｍ以下、更に好ましくは７０ｍｍ以上１２０ｍｍ以下である。
【００３７】
以下、本発明に係る吸収体の他の実施形態について図４〜図１０を参照して説明する。後述する他の実施形態については、前記実施形態（吸収体４）と異なる構成部分を主として説明し、同様の構成部分は同一の符号を付して説明を省略する。特に説明しない構成部分は、前記実施形態（吸収体４）の説明が適宜適用される。
【００３８】
図４に示す吸収体４Ａにおいては、前側凹部列５は、一対の前側斜行凹部列５１ａ，５１ａと一対の前側斜行凹部列５１ｂ，５１ｂとの計二対の前側斜行凹部列を有し、後側凹部列６は、一対の後側斜行凹部列６１ａ，６１ａと一対の後側斜行凹部列６１ｂ，６１ｂとの計二対の後側斜行凹部列を有している。前側凹部列５において、４本の前側斜行凹部列５１ａ，５１ａ，５１ｂ，５１ｂは、何れも１本の前側横方向凹部列５０と繋がっており、一対の凹部列５１ａ，５１ａは、凹部列５０の長さ方向の両端部を起点として、吸収体４Ａの縦方向前端４ｆ側且つ横方向Ｙの外方に向かって延びており、一対の凹部列５１ｂ，５１ｂは、凹部列５０におけるその長さ方向の両端部よりも内方に位置する部分を起点として、凹部列５１ａ，５１ａと同方向に向かって延びている。凹部列５１ａと凹部列５１ｂとは、横方向Ｙに対する傾斜角度α及び縦方向長さＨ１（図３参照）は互いに同じである。また、後側凹部列６において、４本の後側斜行凹部列６１ａ，６１ａ，６１ｂ，６１ｂは、何れも１本の後側横方向凹部列６０と繋がっており、一対の凹部列６１ａ，６１ａは、凹部列６０の長さ方向の両端部を起点として、吸収体４Ａの縦方向後端４ｒ側且つ横方向Ｙの外方に向かって延びており、一対の凹部列６１ｂ，６１ｂは、凹部列６０におけるその長さ方向の両端部よりも内方に位置する部分を起点として、凹部列６１ａ，６１ａと同方向に向かって延びている。凹部列６１ａと凹部列６１ｂとは、横方向Ｙに対する傾斜角度β及び縦方向長さＨ２（図３参照）は互いに同じである。吸収体４Ａにおいては、吸収体４（図３参照）と同様に、凹部列４５（前側凹部列５、後側凹部列６）は、吸収体横中心線４Ｌｙを挟んで左右対称に形成されている。吸収体４Ａを用いた場合でも吸収体４を用いた場合と同様の効果が奏される。
【００３９】
図５に示す吸収体４Ｂにおいては、凹部列４５（前側凹部列５、後側凹部列６）は、排泄ポイント域縦中心線ＰＬの近傍に位置して横方向Ｙに延びる前側横方向凹部列５０及び後側横方向凹部列６０（図３参照）を有していない代わりに、排泄ポイント域縦中心線ＰＬに一致する排泄ポイント域縦中心凹部列７を有し、該凹部列７と一対の前側斜行凹部列５１，５１及び一対の後側斜行凹部列６１，６１とが繋がっている。凹部列７と一対の凹部列５１，５１及び一対の凹部列６１，６１とは、それらの長さ方向の両端部で繋がっている。吸収体４Ｂを用いた場合でも吸収体４を用いた場合と同様の効果が奏される。
【００４０】
図６に示す吸収体４Ｃにおいては、一対の前側斜行凹部列５１，５１の一方と他方との排泄ポイント域縦中心線ＰＬ側の端部での間隔Ｌ１が、一対の後側斜行凹部列６１，６１の一方と他方との該中心線ＰＬ側の端部での間隔Ｌ２に比して短くなっている。より具体的には、吸収体４Ｃにおいては、前記間隔Ｌ１に相当する前側横方向凹部列５０の横方向長さが、前記間隔Ｌ２に相当する後側横方向凹部列６０の横方向長さに比して短くなっている。このように、間隔Ｌ１（凹部列５１，５１の中心線ＰＬ側の端部での間隔）＜間隔Ｌ２（凹部列６１，６１の中心線ＰＬ側の端部での間隔）という関係が成立している場合において、間隔Ｌ１と間隔Ｌ２との比（Ｌ１／Ｌ２）は、好ましくは０．１以上、更に好ましくは０．３以上、そして、好ましくは０．９以下、更に好ましくは０．８以下、より具体的には、好ましくは０．１以上０．９以下、更に好ましくは０．３以上０．８以下である。吸収体４Ｃを用いた場合でも吸収体４を用いた場合と同様の効果が奏される。
【００４１】
図７に示す吸収体４Ｄにおいては、凹部列４５（前側凹部列５、後側凹部列６）は、排泄ポイント域縦中心線ＰＬの近傍に位置して横方向Ｙに延びる前側横方向凹部列５０及び後側横方向凹部列６０（図３参照）を有していない。吸収体４Ｄを用いた場合でも吸収体４を用いた場合と同様の効果が奏される。
【００４２】
図８に示す吸収体４Ｅにおいては、一対の前側斜行凹部列５１，５１は、それぞれ、平面視において内側（吸収体横中心線４Ｌｙ側）に凸の湾曲部を排泄ポイント域Ｐに有しており、また、一対の後側斜行凹部列６１，６１も、それぞれ、平面視において内側（吸収体横中心線４Ｌｙ側）に凸の湾曲部を排泄ポイント域Ｐに有している。このように湾曲している凹部列５１，６１の横方向Ｙに対する傾斜角度α，βは、該凹部列５１，６１の長さ方向の両端部を結ぶ直線と横方向Ｙに平行な直線とのなす角度として求められる。吸収体４Ｅを用いた場合でも吸収体４を用いた場合と同様の効果が奏される。
【００４３】
図９に示す吸収体４Ｆにおいては、一対の前側斜行凹部列５１，５１は、それぞれ、排泄ポイント域縦中心線ＰＬの近傍から吸収体４の縦方向前端４ｆ側且つ横方向Ｙの外方に向かって延びる斜行部分５１ｓと、該斜行部分５１ｓの縦方向前端４ｆ寄り（中心線ＰＬから相対的に遠い側）の長さ方向端部から縦方向Ｘに延びる直線部分５１ｔとを有している。また、一対の後側斜行凹部列６１，６１も、それぞれ、排泄ポイント域縦中心線ＰＬの近傍から吸収体４の縦方向後端４ｒ側且つ横方向Ｙの外方に向かって延びる斜行部分６１ｓと、該斜行部分６１ｓの縦方向後端４ｒ寄り（中心線ＰＬから相対的に遠い側）の長さ方向端部から縦方向Ｘに延びる直線部分６１ｔとを有している。即ち、吸収体４Ｆにおける凹部列４５は、少なくとも排泄ポイント域Ｐ内の中心線ＰＬ近傍では、内側（吸収体横中心線４Ｌｙ側）に膨出する部分を有し、それ以外の部分（排泄ポイント域Ｐよりも縦方向Ｘの外方部分又は排泄ポイント域Ｐにおける縦方向Ｘの外方寄り部分）では、縦方向Ｘに沿って延在している。また、吸収体４Ｆにおいては、凹部列４５（前側凹部列５、後側凹部列６）は、排泄ポイント域縦中心線ＰＬの近傍に位置して横方向Ｙに延びる前側横方向凹部列５０及び後側横方向凹部列６０（図３参照）を有していない。吸収体４Ｆを用いた場合でも吸収体４を用いた場合と同様の効果が奏される。
【００４４】
図１０に示す吸収体４Ｇにおいては、凹部列４５（前側凹部列５、後側凹部列６）を構成する複数の凹部４５ｓは、それぞれ、図１０に示す如き平面視において一方向に長い形状（矩形形状）を有し、且つ凹部４５ｓの長手方向と凹部列４５の延びる方向とが交差するように配されている。複数の凹部４５ｓの形状及び大きさは互いに同一である。凹部４５ｓの長手方向は、複数の凹部４５ｓによって構成される凹部列４５の延びる方向に対して直交せずに交差している。凹部列４５の延びる方向は、複数の凹部４５ｓが線状に配列された方向であるところ、ここでいう「線状に」とは、個々の凹部４５ｓの長手方向及び短手方向（該長手方向と直交する方向）それぞれの２等分線の交点を該凹部４５ｓの中心点として、凹部列４５を構成する複数の凹部４５ｓの該中心点を結んだ線が直線状であることを意味し、この「直線」には、複数の該中心点を結んだ線が直線である場合のみならず、該直線から２ｍｍ以内の領域を通る曲線等の「略直線」である場合も含まれる。
【００４５】
そして、吸収体４Ｇにおいては、複数の凹部４５ｓは、それぞれ、該凹部４５ｓをその幅方向Ｙ１に二分する凹部幅中心線４５ｓｙの延長線（凹部４５ｓの長手方向Ｘ１に沿って延びる直線）が排泄ポイント域縦中心線ＰＬの横方向Ｙの中央部（中心線ＰＬの横方向Ｙの中心及びその近傍）と交わるように配されている。複数の凹部４５ｓは、吸収体横中心線４Ｌｙを挟んで左右対称に形成されている。凹部列４５がこのように構成されていると、吸収体４Ｇの足繰りに沿った変形が一層起こり易くなり、おむつが着用者の股間部に対してより柔軟にフィットするようになる。
【００４６】
以上、本発明について説明したが、本発明は、前述した実施形態に制限されず適宜変更可能である。例えば、凹部列４５（前側凹部列５、後側凹部列６）を構成する凹部（エンボス凹部）の平面視形状は特に制限されず、円形状の如き、平面視で方向性のない形状でも良く、矩形形状の如き、平面視で方向性のある形状でも良い。後者の場合は、前述した吸収体４Ｇの凹部列４５ｓのように配置することが好ましい。また、前記実施形態では、コアラップシートは１枚であったが、吸収性コアの肌対向面を被覆する１枚と非肌対向面を被覆する他の１枚との計２枚であっても良い。また、本発明の吸収性物品は、展開型の使い捨ておむつに制限されず、人体から排出される液の吸収に用いられる物品を広く包含し、パンツ型の使い捨ておむつ、生理用ナプキン、生理用ショーツ等も包含される。前述した一の実施形態のみが有する部分は、すべて適宜相互に利用できる。前述した本発明の実施形態に関し、更に以下の付記を開示する。
【００４７】
＜１＞
肌対向面を形成する表面シート、非肌対向面を形成する裏面シート及びこれら両シート間に位置する吸収体を具備し、着用者の腹側に配される腹側部及び背側に配される背側部とそれらの間に位置する股下部とを有すると共に、該腹側部から該股下部を介して該背側部に延びる縦方向とこれに直交する横方向とを有する吸収性物品であって、
前記吸収体の肌対向面又は非肌対向面に、該吸収体を厚み方向に圧縮することにより形成された複数の凹部が平面視線状に配列されてなる、凹部列が形成されており、該凹部列は、該吸収体の排泄ポイント域を縦方向に二分する排泄ポイント域縦中心線よりも該吸収体の前記腹側部側の縦方向前端側に位置する、前側凹部列と、該排泄ポイント域縦中心線よりも該吸収体の前記背側部側の縦方向後端側に位置する、後側凹部列とを有し、
前記前側凹部列は、複数の前記凹部が前記排泄ポイント域縦中心線の近傍から前記吸収体の縦方向前端側且つ横方向外方に向かって延びる平面視線状に配列されてなる、一対の前側斜行凹部列を有し、一対の該前側斜行凹部列の一方と他方とは直接繋がっておらず横方向に所定の間隔を置いて配され、その間隔は、該排泄ポイント域縦中心線側の端部間において最小であり、
前記後側凹部列は、複数の前記凹部が前記排泄ポイント域縦中心線の近傍から前記吸収体の縦方向後端側且つ横方向外方に向かって延びる平面視線状に配列されてなる、一対の後側斜行凹部列を有し、一対の該後側斜行凹部列の一方と他方とは直接繋がっておらず横方向に所定の間隔を置いて配され、その間隔は、該排泄ポイント域縦中心線側の端部間において最小であり、
前記前側斜行凹部列の横方向に対する傾斜角度は、前記後側斜行凹部列の横方向に対する傾斜角度に比して小さい吸収性物品。
【００４８】
＜２＞
前記前側凹部列は、複数の前記凹部が前記排泄ポイント域縦中心線の近傍にて横方向に延びる平面視線状に配列されてなる、前側横方向凹部列を有し、該前側横方向凹部列と一対の前記前側斜行凹部列とが繋がっており、
前記後側凹部列は、複数の前記凹部が前記排泄ポイント域縦中心線の近傍にて横方向に延びる平面視線状に配列されてなる、後側横方向凹部列を有し、該後側横方向凹部列と一対の前記後側斜行凹部列とが繋がっている前記＜１＞記載の吸収性物品。
＜３＞
前記前側横方向凹部列の横方向長さは、一対の前記前側斜行凹部列の一方と他方との前記排泄ポイント域縦中心線側の端部での間隔Ｌ１に一致し、また、前記後側横方向凹部列の横方向長さは、一対の前記後側斜行凹部列の一方と他方との該排泄ポイント域縦中心線側の端部での間隔Ｌ２に一致し、
前記間隔Ｌ１と前記間隔Ｌ２とは同じであり、且つそれぞれ好ましくは１０ｍｍ以上、更に好ましくは２０ｍｍ以上、そして、好ましくは６０ｍｍ以下、更に好ましくは５０ｍｍ以下、より具体的には、好ましくは１０ｍｍ以上６０ｍｍ以下、更に好ましくは２０ｍｍ以上５０ｍｍ以下である前記＜２＞記載の吸収性物品。
＜４＞
前記前側横方向凹部列の横方向長さは、一対の前記前側斜行凹部列の一方と他方との前記排泄ポイント域縦中心線側の端部での間隔Ｌ１に一致し、また、前記後側横方向凹部列の横方向長さは、一対の前記後側斜行凹部列の一方と他方との該排泄ポイント域縦中心線側の端部での間隔Ｌ２に一致し、
前記間隔Ｌ１が前記間隔Ｌ２に比して短く、且つ該間隔Ｌ１と該間隔Ｌ２との比（Ｌ１／Ｌ２）は、好ましくは０．１以上、更に好ましくは０．３以上、そして、好ましくは０．９以下、更に好ましくは０．８以下、より具体的には、好ましくは０．１以上０．９以下、更に好ましくは０．３以上０．８以下である前記＜２＞記載の吸収性物品。
＜５＞
前記前側凹部列は前記前側横方向凹部列を有しておらず、前記後側凹部列は前記後側横方向凹部列を有していない前記＜２＞記載の吸収性物品。
【００４９】
＜６＞
前記凹部列は、複数の前記凹部が前記排泄ポイント域縦中心線に一致して配列されてなる、排泄ポイント域縦中心凹部列を有し、該排泄ポイント域縦中心凹部列と一対の前記前側斜行凹部列及び一対の前記後側斜行凹部列とが繋がっている前記＜１＞記載の吸収性物品。
＜７＞
前記前側斜行凹部列の縦方向長さは、前記後側斜行凹部列の縦方向長さに比して短い前記＜１＞〜＜６＞の何れか一項に記載の吸収性物品。
＜８＞
一対の前記前側斜行凹部列の一方と他方との前記排泄ポイント域縦中心線側の端部での間隔は、一対の前記後側斜行凹部列の一方と他方との該排泄ポイント域縦中心線側の端部での間隔に比して短い前記＜１＞〜＜７＞の何れか一項に記載の吸収性物品。
【００５０】
＜９＞
前記前側凹部列は前記前側斜行凹部列を二対以上有しているか、又は前記後側凹部列は前記後側斜行凹部列を二対以上有している前記＜１＞〜＜８＞の何れか一項に記載の吸収性物品。
＜１０＞
一対の前記前側斜行凹部列及び一対の前記後側斜行凹部列は、それぞれ、前記吸収体を横方向に二分する吸収体横中心線を挟んで左右対称に形成されている前記＜１＞〜＜９＞の何れか一項に記載の吸収性物品。
＜１１＞
前記凹部列を構成する複数の凹部は、それぞれ、平面視において一方向に長い形状を有し且つ該凹部の長手方向と該凹部列の延びる方向とが交差するように配され、且つ複数の前記凹部は、それぞれ、該凹部をその幅方向に二分する凹部幅中心線の延長線が前記排泄ポイント域縦中心線の横方向中央部と交わるように配され、且つ複数の前記凹部は、前記吸収体を横方向に二分する吸収体横中心線を挟んで左右対称に形成されている前記＜１＞〜＜１０＞の何れか一項に記載の吸収性物品。
【００５１】
＜１２＞
前記吸収体は、液保持性の吸収性コアと、該吸収性コアの肌対向面及び非肌対向面を被覆する透水性のコアラップシートとを含んで構成され
前記吸収性コアは、縦方向に沿う両側縁が内向きの円弧状に湾曲し、
前記コアラップシートは、前記吸収性コアの横方向の長さの２倍以上３倍以下の幅を有し、該吸収性コアの肌対向面（前記表面シートとの対向面）の全域を被覆し、且つ該吸収性コアの縦方向に沿う両側縁から横方向外方に延出し、その延出部が、該吸収性コアの下方に巻き下げられて、該吸収性コアの非肌対向面の全域を被覆している前記＜１＞〜＜１１＞の何れか一項に記載の吸収性物品。
＜１３＞
前記吸収性コアは、木材パルプ、親水化剤により処理された合繊繊維等の親水性繊維からなる繊維集合体、又は、該繊維集合体に粒子状の吸水性ポリマーを保持させたものであり、前記コアラップシートは、紙、又は、親水化処理が施された繊維からなる親水性不織布である前記＜１２＞記載の吸収性物品。
＜１４＞
前記凹部列は、前記吸収体のみに形成されており、前記表面シート及び前記裏面シートには形成されていない前記＜１＞〜＜１３＞の何れか一項に記載の吸収性物品。
＜１５＞
前記凹部は、熱を伴うか又は伴わないエンボス、あるいは超音波エンボス等のエンボス加工により形成されたものである前記＜１＞〜＜１４＞の何れか一項に記載の吸収性物品。
【００５２】
＜１６＞
前記凹部列は、複数のエンボス凹部が間欠的に配置されて平面視線状（破線状）に形成されており、該凹部列を構成する凹部の数は、好ましくは３個以上、更に好ましくは５個以上、そして、好ましくは３０個以下、更に好ましくは１０個以下、より具体的には、好ましくは３個以上３０個以下、更に好ましくは５個以上１０個以下である前記＜１＞〜＜１５＞の何れか一項に記載の吸収性物品。
＜１７＞
前記凹部列における隣り合う凹部間は、エンボス加工が施されていない非エンボスの平坦部か、又は、該凹部よりも深さの浅い凹部からなり、
前記凹部列の長さ方向に隣り合う凹部間の間隔は、該凹部列を構成する各凹部の該長さ方向の長さよりも短い前記＜１＞〜＜１６＞の何れか一項に記載の吸収性物品。
＜１８＞
前記凹部列における隣り合う凹部間は、該凹部よりも深さの浅い凹部からなり、該浅い凹部の凹陥深さは該凹部の凹陥深さの２０％以下である前記＜１＞〜＜１７＞の何れか一項に記載の吸収性物品。
＜１９＞
前記凹部列においてその長さ方向に隣り合う凹部間の間隔は、該凹部列を構成する各凹部の該長さ方向の長さよりも短く、該凹部の長さに対する該凹部の間隔の割合は８０％以下、好ましくは５０％以下である前記＜１＞〜＜１８＞の何れか一項に記載の吸収性物品。
【００５３】
＜２０＞
前記凹部列は前記吸収体の非肌対向面に形成されている前記＜１＞〜＜１９＞の何れか一項に記載の吸収性物品。
＜２１＞
前記凹部列を構成する複数の前記凹部それぞれの幅は、好ましくは３０ｍｍ以上、更に好ましくは５０ｍｍ以上、そして、好ましくは１３０ｍｍ以下、更に好ましくは１００ｍｍ以下、より具体的には、好ましくは３０ｍｍ以上１３０ｍｍ以下、更に好ましくは５０ｍｍ以上１００ｍｍ以下である前記＜１＞〜＜２０＞の何れか一項に記載の吸収性物品。
＜２２＞
前記前側斜行凹部列の横方向に対する傾斜角度αと前記後側斜行凹部列の横方向に対する傾斜角度βとの差（β−α）は、好ましくは５°以上、更に好ましくは１０°以上、そして、好ましくは６０°以下、更に好ましくは５０°以下、より具体的には、好ましくは５°以上６０°以下、更に好ましくは１０°以上５０°以下である前記＜１＞〜＜２１＞の何れか一項に記載の吸収性物品。
＜２３＞
前記前側斜行凹部列の縦方向長さＨ１は、前記後側斜行凹部列の縦方向長さＨ２に比して短くなっており、
前記縦方向長さＨ１と前記縦方向長さＨ２との差（Ｈ２−Ｈ１）は、好ましくは１０ｍｍ以上、更に好ましくは４０ｍｍ以上、そして、好ましくは８０ｍｍ以下、更に好ましくは６０ｍｍ以下、より具体的には、好ましくは３０ｍｍ以上８０ｍｍ以下、更に好ましくは４０ｍｍ以上６０ｍｍ以下であり、
前記縦方向長さＨ１は、好ましくは２０ｍｍ以上、更に好ましくは４０ｍｍ以上、そして、好ましくは１００ｍｍ以下、更に好ましくは７０ｍｍ以下、より具体的には、好ましくは２０ｍｍ以上１００ｍｍ以下、更に好ましくは４０ｍｍ以上７０ｍｍ以下であり、
前記縦方向長さＨ２は、好ましくは５０ｍｍ以上、更に好ましくは７０ｍｍ以上、そして、好ましくは１５０ｍｍ以下、更に好ましくは１２０ｍｍ以下、より具体的には、好ましくは５０ｍｍ以上１５０ｍｍ以下、更に好ましくは７０ｍｍ以上１２０ｍｍ以下である前記＜１＞〜＜２２＞の何れか一項に記載の吸収性物品。
【００５４】
＜２４＞
一対の前記前側斜行凹部列及び一対の前記後側斜行凹部列は、それぞれ、平面視において内側に凸の湾曲部を前記排泄ポイント域に有している前記＜１＞〜＜２３＞の何れか一項に記載の吸収性物品。
＜２５＞
一対の前記前側斜行凹部列は、それぞれ、前記排泄ポイント域縦中心線の近傍から前記吸収体の縦方向前端側且つ横方向外方に向かって延びる斜行部分と、該斜行部分の縦方向前端寄り（該排泄ポイント域縦中心線から相対的に遠い側）の長さ方向端部から縦方向に延びる直線部分とを有しており、
一対の前記後側斜行凹部列は、それぞれ、前記排泄ポイント域縦中心線の近傍から前記吸収体の縦方向後端側且つ横方向外方に向かって延びる斜行部分と、該斜行部分の縦方向後端寄り（該排泄ポイント域縦中心線から相対的に遠い側）の長さ方向端部から縦方向に延びる直線部分とを有している前記＜１＞〜＜２４＞の何れか一項に記載の吸収性物品。
＜２６＞
前記吸収性物品は使い捨ておむつである前記＜１＞〜＜２５＞の何れか一項に記載の吸収性物品。
＜２７＞
前記使い捨ておむつは、レッグギャザー及び立体ギャザーを有する前記＜２６＞記載の吸収性物品。
【実施例】
【００５５】
以下、本発明を実施例により更に具体的に説明するが、本発明は斯かる実施例に限定されるものではない。
【００５６】
〔実施例１〕
常法に従い、図１及び図２に示すおむつ１と同様の基本構成を有する展開型使い捨ておむつを作製した。表面シートとして、坪量３６ｇ／ｍ2のエアスルー不織布を用い、裏面シートとして、透湿性シートと外層不織布とを貼り合わせた坪量３０ｇ／ｍ2の複合シートを用い、吸収性コアとして、坪量２００ｇ／ｍ2のパルプ繊維の集合体に粒子状の吸水性ポリマーを保持させたもの（吸水性ポリマーの坪量１８６ｇ／ｍ2）を用い、コアラップシートとして、坪量１３．５ｇ／ｍ2の親水性且つ透液性の紙を用いた。
【００５７】
実施例１で用いた吸収体における凹部列（前側凹部列、後側凹部列）のパターンは、図３に示す吸収体４と同様のものを採用した。実施例１で用いた吸収体４において、凹部列４５は、該吸収体４の非肌対向面側からのエンボス加工により形成されたものであり、前側斜行凹部列５１の傾斜角度αは６０°、後側斜行凹部列６１の傾斜角度βは８０°、凹部列５１の縦方向長さＨ１は５０ｍｍ、凹部列６１の縦方向長さＨ２は１００ｍｍ、一対の凹部列５１，５１の一方と他方との排泄ポイント域縦中心線ＰＬ側の端部での間隔Ｌ１（前側横方向凹部列５０の横方向長さ）は３０ｍｍ、一対の凹部列６１，６１の一方と他方との中心線ＰＬ側の端部での間隔Ｌ２（後側横方向凹部列６０の横方向長さ）は３０ｍｍであった。
【００５８】
〔比較例１〕
前側凹部列５と後側凹部列６との境界線として、排泄ポイント域縦中心線ＰＬではなく、おむつを縦方向Ｘに二分する仮想的な物品縦中心線１Ｌｘ（図１参照）を用いた以外は、実施例１と同様にして展開型使い捨ておむつを作製した。
【００５９】
〔比較例２〕
前側斜行凹部列５１の傾斜角度α及び後側斜行凹部列６１の傾斜角度βを共に８０°とした以外は、実施例１と同様にして展開型使い捨ておむつを作製した。
【００６０】
〔比較例３〕
吸収体として図１１に示す吸収体４Ｈを用いた以外は、実施例１と同様にして展開型使い捨ておむつを作製した。吸収体４Ｈにおいては、一対の前側斜行凹部列５１，５１の一方及び他方が、排泄ポイント域縦中心線ＰＬの横方向Ｙの中心にて直接繋がっており、また、一対の後側斜行凹部列６１，６１の一方及び他方も、中心線ＰＬの横方向Ｙの中心にて直接繋がっており、凹部列４５全体として平面視略Ｘ字状を有している。即ち、吸収体４Ｈにおいては、一対の凹部列５１，５１の一方と他方との中心線ＰＬ側の端部での間隔Ｌ１（図３参照）、及び一対の凹部列６１，６１の一方と他方との中心線ＰＬ側の端部での間隔Ｌ２（図３参照）が何れもゼロである。
【００６１】
〔比較例４〕
吸収体にエンボス加工を施さず、吸収体の肌対向面及び非肌対向面に凹部列を形成しなかった以外は、実施例１と同様にして展開型使い捨ておむつを作製した。
【００６２】
〔評価〕
各実施例及び比較例のおむつのフィット性を評価した。具体的には、乳幼児の各サイズ別の体型より設計された簡易モデルに、評価対象のおむつを常法に従って装着し、該モデルの前側から股間部にかけてのおむつのフィット性（前側股間部フィット性）について、特に、着用時における足繰り及び股間部（排尿部）に対するおむつの沿いやすさ（柔軟性）を目視観察した。その観察結果は下記の通りであった。下記観察結果に基づき、各実施例及び比較例のおむつの前側股間部のフィット性を、Ａ（優れる）、Ｂ（普通）、Ｃ（劣る）の３段階にランク分けした。そのランク分けの結果を下記表１に示す。
【００６３】
実施例１：おむつがモデルに対して柔軟に沿いやすく、装着しやすい。おむつがモデルの足繰り及び股間部にフィットし、且つ排尿部付近ではおむつとモデルとの間に僅かな隙間が形成されて、おむつがモデルを圧迫することがない。おむつの垂れ下がりは見られない。
比較例１：おむつがモデルの足繰り及び股間部に沿いにくく、ややフィットし難く、装着しやすさにやや劣る。排尿部付近ではおむつとモデルとの間に僅かな隙間が形成されて、おむつがモデルを圧迫することがない。おむつの垂れ下がりは見られない。
比較例２：おむつがモデルの股間部に沿いやすい。しかし、股間部においておむつとモデルとの間に適度な隙間がなく、おむつが排尿部付近を塞いでおり、吸収体の腹側に大きな皺とヨレが生じている。おむつの垂れ下がりは見られない。
比較例３：特にモデルの腹側の足繰りに対しおむつがフィットしない。おむつが垂れ下がり、モデルの排尿部付近に液がたまるような窪みが形成される。
比較例４：おむつがモデルに対して柔軟に沿いにくく、装着し難い。おむつがモデルの足繰り及び股間部にフィットしない。おむつ装着直後は、モデルの排尿部付近がおむつによって圧迫されている。おむつ全体がずり落ちてしまう。
【００６４】
【表１】
2015104645.tif 000003
【００６５】
表１に示す通り、吸収体の非肌対向面にエンボス加工による凹部が一切形成されていないと、フィット性に劣る（比較例４）。また、吸収体の非肌対向面に、複数の前記凹部が平面視線状に配列されてなる凹部列が形成されていても、その凹部列が図１１に示す如き平面視略Ｘ字状であると、フィット性に劣る（比較例３）。また、吸収体の非肌対向面に、前記凹部列として、横方向に延びる横方向凹部列と該横方向凹部列の長さ方向の両端から斜め外方に延びる左右一対の斜行凹部列とからなる、前側凹部列及び後側凹部列が形成されていても、１）該前側凹部列と該後側凹部列との境界線が、排泄ポイント域縦中心線ではなく、おむつを縦方向Ｘに二分する仮想的な物品縦中心線である形態（比較例１）、及び２）該斜行凹部列の傾斜角度が前側と後側とで同じ形態（比較例２）は、フィット性においてまだ改善の余地がある。
【００６６】
これに対して実施例１は、凹部列が図３に示す如きパターンで形成されているためフィット性の評価が高く、着用時に足繰りに沿って変形しやすく、着用者の股間部に対して柔軟にフィットし得る。以上のことから、おむつのフィット性（前側股間部フィット性）を高めるためには、前述したように、ａ）凹部列が排泄ポイント域（着用者の排泄部と対向する設計上の領域）に存在し、且つｂ）該凹部列が、排泄ポイント域縦中心線よりも縦方向前端側に位置する前側凹部列と、縦方向後端側に位置する後側凹部列とを有し、且つｃ）該前側凹部列及び該後側凹部列が、それぞれ、該排泄ポイント域縦中心線の近傍から縦方向後端側且つ横方向外方に向かって延びる、一対の斜行凹部列を有し、一対の該斜行凹部列の一方と他方とが横方向に所定の間隔を置いて配され、その間隔は、該排泄ポイント域縦中心線側の端部間において最小であり、且つｄ）前側斜行凹部列の横方向に対する傾斜角度は、後側斜行凹部列の横方向に対する傾斜角度に比して小さいことが有効であることがわかる。
【符号の説明】
【００６７】
１  使い捨ておむつ（吸収性物品）
２  表面シート
３  裏面シート
４，４Ａ〜４Ｈ  吸収体
４ｆ  吸収体の縦方向前端
４ｒ  吸収体の縦方向後端
４０  吸収性コア
４１  コアラップシート
４５  凹部列
４５ｓ  凹部列
５  前側凹部列
５０  前側横方向凹部列
５１  前側斜行凹部列
６  後側凹部列
６０  後側横方向凹部列
６１  後側斜行凹部列
７  排泄ポイント域縦中心凹部列
Ｆ  腹側部
Ｍ  股下部
Ｒ  背側部
Ｐ  排泄ポイント域
ＰＬ  排泄ポイント域縦中心線
Ｘ  縦方向
Ｙ  横方向
【図１】
2015104645.tif 000004
【図２】
2015104645.tif 000005
【図３】
2015104645.tif 000006
【図４】
2015104645.tif 000007
【図５】
2015104645.tif 000008
【図６】
2015104645.tif 000009
【図７】
2015104645.tif 000010
【図８】
2015104645.tif 000011
【図９】
2015104645.tif 000012
【図１０】
2015104645.tif 000013
【図１１】
2015104645.tif 000014